(57)【要約】【課題】系統負荷の高い機器（急速充電器等）の接続による配電網の電圧低下を防止する。【解決手段】充電ステーション（充電ST）にて新規急速充電器が付加されると、充電ST管理センタを通じて、配電管理システムに急速充電器の追加を通知する。これにより配電管理システムは急速充電器の設置を検知することが可能になる。配電管理システムでは、配電網のそれぞれの区間での電力供給状況をみて、新規急速充電器に供給可能な最大電力を算出する。この最大電力を充電管理システムを経由して送信することで、充電STに対し最大電力を通知することが出来る。またその値を遵守することで、急速充電器の充電による配電網の不安定化を防止する。また配電管理システム側で配電網の設備を更新したり、配電網の接続を変えた場合には、各充電STに対し、配電用変電所から充電STへの経路での最大電力を調べ、最大電力が変化していれば、それに応じた最大電力の更新を充電ST側に通知する。【選択図】図１
2014033511.tif 000002
【特許請求の範囲】
【請求項１】
複数の充電器が接続される充電ステーションにおける最大使用電力を決定する配電管理システムであって、
前記充電ステーションの位置情報と、当該充電ステーションに接続される前記充電器の情報又は当該充電器に接続された電気自動車の情報と、を当該充電ステーションから受信する充電ステーション通信処理部と、
前記受信した情報に基づいて前記充電ステーションの配電網の位置を推定する配電網位置推定部と、
前記推定した配電網の位置から配電ルートを推定する配電ルート推定部と、
前記配電ルートに基いて前記充電ステーションでの最大使用電力を算出する最大電力算出部と、
を備えることを特徴とする配電管理システム。
【請求項２】
請求項１に記載の配電管理システムにおいて、
前記充電ステーション通信処理部は、前記算出した最大使用電力に関する情報を前記充電ステーションへ送信することを特徴とする配電管理システム。
【請求項３】
請求項２に記載の配電管理システムにおいて、
前記最大電力算出部は、変電所から前記充電ステーションまでの配電ルートに基いて前記最大使用電力を算出することを特徴とする配電管理システム。
【請求項４】
請求項３に記載の配電管理システムにおいて、
前記最大電力算出部は、前記配電網に設置された電力センサが示す電力の値に基いて前記配電ルートの前記最大使用電力を算出することを特徴とする配電管理システム。
【請求項５】
請求項４に記載の配電管理システムは、前記電力センサを複数備え、
前記最大電力算出部は、前記複数の電力センサのうち前記配電ルートに関係する電力センサが示す電力の値のなかで一番小さい値に基いて最大使用電力を算出することを特徴とする配電管理システム。
【請求項６】
請求項３に記載の配電管理システムは、前記配電網を構成する区間毎に当該区間を流れる電力の値の履歴情報を備えており、
前記最大電力算出部は、前記配電ルートに関係する区間の履歴情報から前記最大使用電力を算出することを特徴とする配電管理システム。
【請求項７】
請求項２乃至６のいずれか一項に記載の配電管理システムにおいて、
前記最大電力算出部は、前記最大使用電力の値が有効な時間を算出し、
前記充電ステーション通信処理部は、前記充電ステーションへ前記最大使用電力の値が有効な時間を送信することを特徴とする配電管理システム。
【請求項８】
複数の充電器が接続される充電器ステーションにおける最大使用電力を決定する配電管理方法であって、
充電ステーションの位置情報と、当該充電ステーションに接続される前記充電器の情報又は当該充電器に接続された電気自動車の情報と、を前記充電ステーションから受信する情報受信ステップと、
前記受信した情報に基づいて前記充電ステーションの配電網の位置を推定する配電網位置推定ステップと、
前記推定した配電網の位置から配電ルートを推定する配電ルート推定ステップと、
前記配電ルートに基いて前記充電ステーションでの最大使用電力を算出する最大電力算出ステップと、
前記算出した最大使用電力に関する情報を前記充電ステーションに送信する送信ステップと、
を備えることを特徴とする配電管理方法。
【請求項９】
請求項８に記載の配電管理方法であって、
前記最大電力算出ステップは、変電所から前記充電ステーションまでの配電ルートに基いて前記最大使用電力を算出することを特徴とする配電管理方法。
【請求項１０】
請求項９に記載の配電管理方法において、
前記最大電力算出ステップは、前記配電網に設置された電力センサが示す電力の値、若しくは当該配電網を構成する各区間を流れる電力の値の履歴情報に基いて前記配電ルートの前記最大使用電力を算出することを特徴とする配電管理方法。
【請求項１１】
請求項１０に記載の配電管理方法において、
前記電力センサが複数ある場合、
前記最大電力算出ステップは、前記複数の電力センサのうち前記配電ルートに関係する電力センサが示す電力の値のなかで一番小さい値に基いて前記最大使用電力を算出することを特徴とする配電管理方法。
【請求項１２】
請求項８乃至１１のいずれか一項に記載の配電管理方法において、
前記最大電力算出ステップは、前記最大使用電力の値が有効な時間を算出し、
前記送信ステップは、前記充電ステーションへ前記最大使用電力の値が有効な時間を送信することを特徴とする配電管理方法。
【発明の詳細な説明】
【技術分野】
【０００１】
本発明は、地域の配電管理システム及び地域の配電管理方法に関する。
【背景技術】
【０００２】
配電システムは、送電網から受電した電力を、変電所で一旦電圧を下げた後、家やビルなどの需要家に供給するシステムである。本システムは多数の機器とサブシステムで構成されており、大きくは実際に電力の供給を行う電力線、切替スイッチ、トランス等から構成される配電網と、電力の流れを制御する配電管理システム、および配電線等の設備を管理する設備管理システムで構成される。配電網は広く地域内のすべての需要家に電力を供給させるため、変電所から延びる電力線は、途中で何回も分岐して地域内に支線を延ばしていく。また電力線単位で広く停電になることを防ぐため、単純に枝分かれしていくだけでなく、他の電力線と時には繋がりながら広がっていく場合もある。変電所から延びる１つの配電線には、数十〜数千程度の需要家が繋がっている。配電網の容量はこれまで全需要家の最大消費電力の何割かと定めて設計し、整備する場合がある（これを需要率と呼ぶ）。これは経験上、全ての需要家が同時に受電契約の上限を使うことが無いことと、配電網の設備投資費を抑えるといった目的があるからである。また配電網の分岐先には需要家の受電設備（メータ、ブレーカ)等が接続されており、これにより需要家は電気の供給を受けている。需要家の受電設備の１つであるブレーカは、電気の供給契約に基づいて定格容量を決めている。例えば日本の場合では一般家庭は20Aから60Aまで10Aごとに定められた定格容量のいずれかを選んでいる。
【０００３】
配電網下の需要家が使う消費電力は、これまでも需要家の引越しなどで定格容量の変更がなされてきた。特許文献１では、これらブレーカの定格容量変更について、電力会社の設備担当者が現地までに向かうことなく、遠隔で定格容量の変更が出来ることを特徴としている。特許文献２では集合住宅を想定し、集合住宅単位で一括受電した後に各家のブレーカについて遠隔で定格容量の変更が出来ることを特徴としている。
【先行技術文献】
【特許文献】
【０００４】
【特許文献１】特開2002-159138号広報
【特許文献２】特開2004-153963号広報
【発明の概要】
【発明が解決しようとする課題】
【０００５】
しかし、先行技術においては、配電網の容量までは考慮せず、あくまで受電設備のブレーカの変更だけで消費電力の上限変更を行っている。これは通常、需要家の消費電力の変更は配電網の容量に比べて無視できるほど小さいものであるという前提があるからである。例えば家の定格電力を20Aから60Aに変更しても高々3倍程度の変化しかなく、数百軒の需要家が接続されている配電網にとって影響はごくわずかと言える。
【０００６】
しかし、近年電気自動車(Electric Vehicle、以下EV)の登場により、一台で家の数十軒以上の消費電力を行う急速充電器が登場してきている。急速充電器は現在、街中に充電ステーション（以下充電ST）を建て、数台の急速充電器を置いて同時に複数台のEVの急速充電を可能にすることを予定している。このような充電STが登場した場合、配電網への影響は無視出来ないものになり、特に配電網の需要率が低く設計されていた場合には、例え充電STの定格容量を下回って充電していても、配電網下の電力消費状況によっては設計した需要率を超えた電力が必要となってしまい、最悪時には配電網全体の停電に繋がってしまう恐れがある。この問題に対しては、急速充電器が稼働する前に、ITを使って配電管理システムに対し問合せを行い、接続可否を判断することが必要になる。またその判断結果についてITを使い、順守出来るようにすることが必要になる。
【課題を解決するための手段】
【０００７】
本発明は、上記課題を解決するためのものであり、充電STと配電管理システムの間に新たに充電ST管理システムを用意し、充電STからの充電器の機器情報を配電管理システムに自動的に通知し、配電網への影響が無いか判断させる。また充電ST管理システムを使い、配電管理システムから充電STに対し、使用可能な最大電力を自動的に通知する。
【発明の効果】
【０００８】
本発明によれば、充電STの急速充電によって配電網の電力不安定化を迅速に防止することが出来る。
【図面の簡単な説明】
【０００９】
【図１】本発明の配電管理システムと充電ST管理システムとの連携構成を示す図
【図２】充電STの機器構成および機能構成を示す図
【図３】充電ST管理システムの機能構成を示す図
【図４】配電管理システムの機能構成を示す図
【図５】充電STから配電管理システムに機器情報を送信するときのシーケンス図
【図６】配電管理システムから充電ST管理システムに指示情報を送信するときのシーケンス図
【図７】充電ST管理システムから充電STに指示情報を送信するときのシーケンス図
【図８】充電STで急速充電器の操作を行うときのシーケンス図
【図９】配電網の概要を示す図
【図１０】配電網の状況が変化した場合のシーケンス図
【発明を実施するための形態】
【００１０】
以下、図面に基づいて、本発明の実施の形態を説明する。同一の符号を付した部分は同一物を表し、基本的な構成および動作は同様であるものとする。
【００１１】
図１は本発明の配電管理システムと充電ST管理システムとの連携構成を示す図である。なお図中の実線は電力の線を指しており、点線は情報の線を示している。
【００１２】
本発明の連携構成は、主に充電ST１０４、充電ST管理システム１１０、配電管理システム１０９から構成されている。この周辺の機器、設備として、配電用変電所１０１、配電網１０２、需要家１０３、ブレーカ１０５、急速充電器１０６、新規急速充電器１０７、ネットワーク１０８、電力センサ１１１、トランス１１２が存在する。
【００１３】
配電用変電所１０１は配電網１０２に電気を供給する設備である。配電用変電所１０１は配電管理システム１０９の制御のもと供給を行っている。
【００１４】
配電網１０２は電力を供給する線である。配電用変電所１０１から配電網１０２が伸びており、トランス１１２を経由した後、需要家１０３および充電ST１０４まで繋がっている。これにより配電用変電所１０１から電力が送られ、需要家１０３、充電ST１０４にまで供給されている。
【００１５】
需要家１０３、充電ST１０４は配電網１０２から供給される電力によって動く需要家である（充電STも需要家であるが、本明細書では説明を容易にするため充電STを明示的に分けている）。需要家１０３、充電ST１０４の接続箇所にはブレーカ１０５が供えられており、需要家側で定格容量を超える電力を使用した場合、ブレーカ１０５によって遮断される。充電ST１０４には急速充電器１０６が設置されている。また充電ST１０４の利用状況によって、新規急速充電器１０７が新たに設置されることもある。本発明はこうした新規急速充電器の取り付けによって生じる消費電力の急激な増加に対し、配電網１０２の安定化を目指している。また本発明の実施形態の別例として、急速充電器に対し充電量の非常に大きいEVが急速充電を行おうとした時の配電網１０２の安定化を目指す。また充電ST１０４はネットワーク１０８を介し充電ST管理システム１１０に接続されており、充電ST管理システム１１０に対し情報を提供し、逆に充電ST管理システム１１０から情報を受け取る。
【００１６】
配電管理システム１０９は、配電用変電所１０１、配電網１０２の状況を把握した上で配電網の電圧を安定化させるため制御を行う。また配電管理システム１０９は配電網にある設備、機器の情報を管理している。例えば配電網の設備を更新した場合には配電管理システムで設備更新情報を把握出来る。
【００１７】
充電ST管理システム１１０はネットワーク１０８を介し配電管理システム１０９と連携している。これにより充電STの状況を配電管理１０９システムに送信する。また逆に配電管理システム１０９からの指示情報を受信する。また充電管理システム１１０は充電ST１０４ともネットワーク１０８と接続している。この情報の流れは既に充電ST１０４にて説明した通りである。
【００１８】
図２は充電STの機器構成および機能構成を示す図である。配電網１０２から送られる電力はブレーカ１０５、分電盤２０１を経由してPCS２０２に送られる。PCS２０２は後述する充電ST１０４によって電力供給の開始・停止が制御され、急速充電器１０６、新規急速充電器１０７に接続される。PCS２０２からは機器ネットワーク２０３を経由して充電ST１０４にPCSの状態情報が送られる。また逆に充電ST１０４からPCS２０２に対し機器コマンドが送信される。以下、充電ST１０４の機能について説明する。
【００１９】
機器通信処理部２０４はPCS２０２との通信を行う機能である。上記PCS２０２と充電ST１０４との通信は、機器通信処理部２０４にて実施する。
【００２０】
機器DB２０５は、PCSの状態情報を蓄積するDBである。PCSの状態情報の内訳は機器そのものの特徴を示した機器情報と、機器稼働情報がある。機器DB２０５では、機器情報が登録され、機器稼働情報は機器稼働履歴として登録される。また機器情報は機器登録部２０６で機器からは上がってこない付属情報（例：設置場所、管理者）などが登録されることもある。
【００２１】
充電ST情報作成部２０７は、機器DB２０５の情報を通信メッセージに変換する機能である。また電力状況DB２１０の情報も通信メッセージに変換する。
【００２２】
サーバ通信処理部２０８は充電ST管理システム１１０と通信を行う。またサーバ通信処理部２０８は、充電ST管理システム１１０から送信された通信メッセージを受信する。
【００２３】
電力登録確認部２０９は充電STから指示された最大電力を登録あるいは登録された最大電力を確認する。また現在急速充電器で使用中の使用電力も登録あるいは確認する。
【００２４】
電力状況DB２１０は、充電STで使用可能な最大電力、および現在使用中の消費電力を登録する。
【００２５】
充電判断部２１１は、各PCSへの電力制御内容を判断する機能である。充電判断部２１１は、電力状況DB２１０、充電器稼働計画DB２１４、および充電指示部２１５の内容に基づいて判断を行う。
【００２６】
機器制御コマンド作成部２１２は充電判断結果に基づいて機器コマンドを作成する。その機器コマンドは機器通信処理部２０４にてPCSへ機器コマンドを送信する。
【００２７】
充電指示部２１５は、充電STの利用者、管理者からの充電指示を受け付け、充電判断部２１１に充電判断を行わせる機能である。
【００２８】
図３は充電ST管理システム１１０の機能構成を示す図である。充電ST管理システムは各充電STの状況を把握し、場合によっては各充電STに指示を行うためのシステムである。充電ST管理システム１１０は、充電ST通信処理部３０１、充電ST情報解析部３０２、補足情報付加部３０３、機器DB３０４、電力システム通信処理部３０５、電力システム指示解析部３０６、電力システム指示作成部３０７、アプリケーション部３０８で構成される。
【００２９】
充電ST通信処理部３０１は、充電ST１０４との通信を行う。情報の流れについてはサーバ通信処理部２０８にて説明した通りである。
【００３０】
充電ST情報解析部３０２は、充電ST１０４からの通信メッセージを解析する機能である。ここで通信メッセージの中に充電STの機器情報の更新情報が含まれていた場合には、補足情報付加部３０３に機器情報を送信する。
【００３１】
補足情報付加部３０３では、充電STから送られてきた機器情報に対し、配電管理システム１０９に送信するための付加情報をつける。例えば配電管理システム１０９では機器の位置情報を把握する必要があるため、ここで機器DB３０４から機器の位置情報を取得し、付加を行う。
【００３２】
機器DB３０４は、充電ST管理下の機器の情報を、充電ST管理システムとして管理する。例えば先述のような機器の位置情報や、機器の設置日、機器の部品交換日などの保守情報を登録しておき、後述のアプリケーション部にて機器管理などを実施する。
【００３３】
電力システム通信処理部３０５は、配電管理システム１０９と通信を行う機能である。  電力システム指示解析部３０６は、配電管理システム１０９からの通信メッセージを受け取り、内容を解析する機能である。解析結果、充電STに指示が必要であれば、電力システム指示作成部３０７に指示情報を送る。
【００３４】
電力システム指示作成部３０７では、充電ST１０４に送信すべき指示内容を通信メッセージに変換する。その変換した通信メッセージは充電ST通信処理部３０１にて通信を行う。
【００３５】
アプリケーション部３０８は充電ST管理システムの各種アプリケーションを指す。例えば保守アプリケーションなどが該当する。
【００３６】
図４は配電管理システムのうち、本発明で必要な機能の機能構成を示す図である。発明が解決しようとする課題で明らかにした通り、配電管理システムは既設のものが既にあることが多く、既設のシステムに対する改修を極力小さくするため、従来機能とはDBにて連携する構成を示している。充電ST管理対応部４００が、今回の発明の主な機能構成となる。充電ST管理対応部４００は、充電ST通信処理部４０１、充電ST管理情報解析部４０２、配電網位置推定部４０３、配電ルート設定部４０６、最大電力算出部４０７、充電ST指示作成部４１０、最大電力DB４１４から構成される。また本発明における配電管理システム１０９は、既存機能である配電アプリケーション４０５、配電網接続情報解析部４１２、電力把握部４０９に加えて、本発明の機能である配電網情報DB４０４、配電網電力履歴情報DB４０８、配電網接続情報DB４１１、そして充電ST管理対応部４００にて構成される。
【００３７】
充電ST管理通信処理部４０１は、充電ST管理システム１１０からの情報を受信し、逆に充電ST管理システム１１０に情報を送信する機能である。
【００３８】
充電ST管理情報解析部４０２は、充電ST管理システム１１０から送られる通信メッセージを解析する機能である。
【００３９】
配電網位置推定部４０３は、充電ST管理システム１１０から、充電STの機器情報が送信されてきたときに、配電網のどこの位置に属するのかを推定する機能である。機器情報の中に充電STの位置情報が含まれており、その位置情報と配電網情報DB４０４の情報との付け合せを行う。
【００４０】
配電ルート推定部４０６は、配電網接続情報DB４１１から得られる現在の配電網接続情報をもとに、充電STと配電用変電所１０１の接続ルートを推定する機能である。例えばその配電網の形状については、図９の通り、複数の配電用変電所９０１，９０２が存在した時に、現在のSW９０６、９１２の状態を配電網接続情報DB４１１から取得し、どのルートで充電ST１０４に電力供給が来ているのかを判断する（図９では配電用変電所９０３から電力供給を受けている）。
【００４１】
最大電力算出部４０７では、推定された配電ルート、および配電網電力履歴情報DB４０８をもとに、各ルートのそれぞれの電力線で残り供給可能な最大電力を算出する。またその算出結果を最大電力DB４１４に登録する。
【００４２】
電力把握部４０９は、配電網状にある各種配電機器４１３から配電網上の電力供給状況を把握する機能である。その把握結果を配電網電力履歴情報DB４０８に登録する。
【００４３】
充電ST指示作成部４１０は、最大電力算出部４０７で算出した最大電力をもとに指示情報の通信メッセージを作成し、充電ST管理通信処理部４０１に送信する機能である。
【００４４】
配電網接続情報更新部４１２は、配電機器４１３から送信される配電網上の機器の状態をもとに接続状況を更新する。例えば図９にてSW９０６，９１２の接続状態を把握して配電網の接続状況を登録する。
【００４５】
配電機器４１３は、配電の管理下にある機器を示している。例えば配電線上にあるSW、電力センサなどが該当する。
【００４６】
図２から図４で説明してきた各種システムを図１のように連携させることで、配電網１０２を安定化させる。図５から図８、および図１０はその処理のシーケンスを表したものであり、以下それらのシーケンスの説明を行う。
【００４７】
図５は充電STから配電管理システムに機器情報を送信するときのシーケンス図である。充電ST１０４にて新規急速充電器１０７が接続された場合（ステップ５０１）、新規急速充電器の接続処理を行う（ステップ５０２）。
【００４８】
具体的には機器通信処理部２０４から上がってきた機器情報や機器登録部２０６で登録した機器情報を機器DB２０５に登録する。次に充電ST情報作成部２０７とサーバ通信処理部２０８を使い、機器情報を通信メッセージに変換して機器情報の送信を行う（ステップ５０３）。
【００４９】
充電ST管理システム１１０にて通信メッセージを受信すると（ステップ５０４）、充電ST情報解析部にて情報解析を行う（ステップ５０５）。もし通信メッセージ内容が機器情報の更新情報であった場合には、配電管理システム１０９に送信するための補足情報を付加する（ステップ５０６）。補足情報は機器の位置情報などが該当する。そして電力システム通信処理部３０５を使い機器情報の送信を行う（ステップ５０７、６０１）。ここで、機器情報の更新情報であったことを検知したら直ちに補足情報を付加して配電管理システムへと通知すると良い。通常は機器情報の詳細を登録してから通知することが一般的であるが、時間を優先して配電管理システムで最低限処理に必要な情報のみを付加して送信して  いる。その後、機器情報を記憶部に登録する（ステップ５０８）。
【００５０】
図６は配電管理システムから充電ST管理システムに指示情報を送信するときのシーケンス図である。充電ST管理システムから配電管理システム１０９に通信メッセージが受信された場合は（ステップ６０１）、通信メッセージ内容が機器情報を含むか解析を行う（ステップ６０２）。機器情報が含まれていれば、配電網配電網情報DB４０４をもとに、機器情報の中の位置情報を参考に充電STの配電網上の位置を推定する（ステップ６０３）。
【００５１】
そして配電網上の位置と、配電網接続情報DB４１１の配電網接続情報をもとに現在配電用変電所からの配電ルートの推定を行う（ステップ６０４）。そしてその配電ルートをもとに変電所から充電STまでに供給可能な最大電力の算出を行う（ステップ６０５）。図９の例では、例えば電力センサ９０９―９１０、９１０−９１３、９１３−９１４、９１４−９０８の間の各電力線が、この配電ルートに関係する電力線といえる。これらの各電力線の情報から供給可能な最大電力を算出する。具体的には、これらの電力線のなかで最も少ない電力、すなわち、ネックとなる部分の電力を最大電力とする。計算結果は最大電力DB４１４に登録する。
【００５２】
将来の需要予測ができている場合や、配電網電力履歴情報DBが履歴情報を特定の時間のみでなく時間軸の関数で持つ場合や、所定時間後に配電網の区間開閉器を切り替えてネックとなる部分が変わることが予測できている場合、最大電力を時間幅を指定して算出することができる。ここで、最大電力が時間幅を持つということは、その時間幅において、その算出された最大電力が有効であることを意味する。この時間幅の持ちかたは、「１３時から１５時まで」というような開始時刻と終了時刻を指定する時間幅の設定をしても良いし、「今から２時間」という時間幅の設定をしても良い。
【００５３】
計算した最大電力をもとに、充電STに対し急速充電可能な最大電力を指示情報とし、それを通信メッセージに変換する（ステップ６０６）。そしてその通信メッセージを指示情報として送信する（ステップ６０７、６０８）。
【００５４】
図７は充電ST管理システムから充電STに指示情報を送信するときのシーケンス図である。充電ST管理システムにて通信メッセージを受信した時（ステップ６０８）には、通信メッセージの解析を行い指示情報か解析する（ステップ７０１）。指示内容が充電STに対する最大電力であった場合には、充電STに対し指示情報を作り通信メッセージの作成を行う（ステップ７０２）。
【００５５】
出来上がった通信メッセージを充電ST１０４に対し通信メッセージを送信する（ステップ７０３）。充電STでは通信メッセージを受信し（ステップ７０４）、通信メッセージの内容が最大電力であった場合には、充電STで使用する最大電力として更新登録する（ステップ７０５）。具体的にはサーバ通信処理部２０８で通信メッセージを受信し、最大電力であった場合には、電力登録確認部２０９にて電力状況DB２１０の更新を行う。また通信メッセージ内容に最大電力の設定に関して時間幅での指定があった場合には、充電計画立案部２１３に送信し充電計画の見直しも実施する。
【００５６】
図８は充電STで急速充電器の操作を行うときのシーケンス図である。新規急速充電器１０７にて急速充電の必要性が生じた場合には、新規急速充電器から充電要求が送信される（ステップ８０１）。送信の方法としてはPCS２０２から送信される場合、充電指示部２１５から支持される場合などがある。充電ST１０４で充電要求を受信した場合（ステップ８０２）、最大電力の確認を電力登録確認部２０９にて確認を行い（ステップ８０３）、実際の使用電力を判断し、登録を行う（ステップ８０４）。登録される情報も電力登録確認部２０９にて電力状況DB２１０に登録を行う。そして新規急速充電器１０７に対し送信する機器コマンドを作成し（ステップ８０５）、機器コマンドを送信する（ステップ８０６）。新規急速充電器１０７にて機器コマンドを受信し、指定された電力にて急速充電を実施する。
充電が終了した時には、充電STに充電終了を通知する（ステップ８０８）。充電終了を受け取った際には（ステップ８０９）、充電使用量分、使用電力を差し引いて現在の使用電力を登録しておく（ステップ８１０）。なお現在の使用電力については、別途分電盤にセン  サを設けて計測情報をもとに登録してもよい。
【００５７】
図９は配電網の概要を示す図である。本図では充電ST１０４に対し、２つの配電線があり、どちらかを切り替えて使用している例である。配電は、配電用変電所９０１，９０２、配電網９０２，９０４、電力センサ９０５、９０７、９０８、９０９，９１０，９１１，９１３，９１４、SW９０６，９１２、充電ST１０４などの需要家から構成される。このうち各電力センサ、およびSWの状態を配電管理システムで管理し、電力逼迫などの必要に応じて充電ST管理システムなどに電力抑制の依頼を行う。本図のようにどの配電用変電所から供給を受けているかを把握することで、供給から追加で受けられる最大電力を算出することが出来る。なお本実施例では電力で充電STの急速充電電力の上限を決定しようとしていたが、他にも電流で決める場合もある。こうした場合でも本実施例と同じ手順で最  大電流を算出し、最大電流下を守らせることで、配電網の安定化を実現することが出来る。
【００５８】
図１０は配電網上の設備が更新された、あるいは、配電線上のSWが切り換えられて配電網のルートが変更された時、充電STの最大電力の更新を行うシーケンスを示したものである。最初に配電アプリケーション４０５や、配電機器４１３、配電設備管理システム４１５等により、配電接続情報の更新が行われる（ステップ１００１）。次に配電ルートがどう変化したのか配電ルート推定のし直しを行う（ステップ６０４）。もし配電ルートの変更があった場合には、以下図６のステップ６０５と同様の処理を行い、充電ST側に最大電力の通知を実施する。
【符号の説明】
【００５９】
１０１  配電用変電所
１０２  配電網
１０３  需要家
１０４  充電ST
１０５  ブレーカ
１０６  急速充電器
１０７  新規急速充電器
１０８  ネットワーク
１０９  配電管理システム
１１０  充電ST管理システム
１１１  電力センサ
１１２  トランス
２０１  分電盤
２０２  PCS
２０４  機器通信処理部
２０５  機器DB
２０６  機器登録部
２０７  充電ST情報作成部
２０８  サーバ通信処理部
２０９  電力登録確認部
２１０  電力状況DB
２１１  充電判断部
２１２  機器制御コマンド作成部
２１３  発電計画立案部
２１４  充電器稼働計画
３０１  充電ST通信処理部
３０２  充電ST情報解析部
３０３  補足情報付加部
３０４  機器DB
３０５  電力システム通信処理部
３０６  電力システム指示解析部
３０７  電力システム指示作成部
３０８  アプリケーション部
４００  充電ST管理対応部
４０１  充電ST管理通信処理部
４０２  充電ST管理情報解析部
４０３  配電網位置推定部
４０４  配電網情報DB
４０５  配電アプリケーション
４０６  配電ルート推定部
４０７  最大電力算出部
４０８  配電網電力履歴情報DB
４０９  電力把握部
４１０  充電ST指示作成部
４１１  配電網接続情報DB
４１２  配電網接続情報更新部
４１３  配電機器
４１４  最大電力DB
９０１  配電用変電所
９０２  配電網
９０３  配電用変電所
９０４  配電網
９０５  電力センサ
９０６  ＳＷ（スイッチ。以下、SW）
９０７  電力センサ
９０８  電力センサ
９０９  電力センサ
９１０  電力センサ
９１１  電力センサ
９１２  SW
９１３  電力センサ
９１４  電力センサ
【図１】
2014033511.tif 000003
【図２】
2014033511.tif 000004
【図３】
2014033511.tif 000005
【図４】
2014033511.tif 000006
【図５】
2014033511.tif 000007
【図６】
2014033511.tif 000008
【図７】
2014033511.tif 000009
【図８】
2014033511.tif 000010
【図９】
2014033511.tif 000011
【図１０】
2014033511.tif 000012